(57)【要約】【課題】周囲を汚さず、消しゴムに付着した汚れを簡単に落とし、小型であり、携帯に便利な、消しゴムと一体になった消しゴムの汚れ落とし器を提供する。【解決手段】擂り鉢形状もしくはお椀形状の内側傾斜面にきざみ目４のついた消しゴムＢの汚れ落とし部１、消し屑を収容する円筒形状の収容部２とからなり、消しゴム用ホルダーＣの後端部に着脱自在に取り付けたことを特徴とする消しゴムＢの汚れ落とし器Ａ。【選択図】図１
2006306003.tif 000002
【特許請求の範囲】
【請求項１】
消しゴム用ホルダー（Ｃ）の後端部に着脱自在に取り付けられ、擂り鉢形状の消しゴム（Ｂ）の汚れ落とし部（１）、中空円筒形状の消し屑収容部（２）と円形状の蓋部（３）とからなり、汚れ落とし部（１）の内側の傾斜面には、汚れが付着した消しゴム（Ｂ）の表面部分を消し屑として消しゴム（Ｂ）から脱離させる縦・横・斜めの細かいきざみ目（４）をつけ、汚れ落とし部（１）の底面中央に消し屑を収容部（２）に落下させる円孔（５）を設け、消し屑を収容する消し屑収容部（２）を円孔（５）の下部に配設し、消し屑が外部に散乱し周囲を汚すことを防ぐための蓋部（３）を汚れ落とし部（１）の上部外周面に着脱自在に取り付けたことを特徴とする消しゴム（Ｂ）の汚れ落とし器（Ａ）。
【請求項２】
消しゴム用ホルダー（Ｃ）の後端部に着脱自在に取り付けられ、消し屑を収容する中空円筒形状の消し屑収容部（２）とお椀形状の蓋部（３）とからなり、蓋部（３）を収容部（２）の上部内周面に着脱自在に取り付け、蓋部（３）の内面に汚れが付着した消しゴム（Ｂ）の表面部分を消し屑として消しゴム（Ｂ）から脱離させる縦・横・斜めの細かいきざみ目（４）のついた消しゴム（Ｂ）の汚れ落としを設けたことを特徴とする消しゴム（Ｂ）の汚れ落とし器（Ａ）。
【発明の詳細な説明】
【技術分野】
【０００１】  本発明は、消しゴムの汚れ落とし器に関し、特に消しゴム用ホルダーに取り付けた消しゴムの汚れ落とし器に関するものである。
【背景技術】
【０００２】  従来、消しゴム表面の汚れは、消しゴムの消去力を低下させ、消去する部分を汚す結果となるため、消しゴムの汚れた部分を机や紙の上で擦り、消しゴム表面に付着していた汚れを取り除いていた。しかし、擦った机の上や紙が汚れたり、消し屑が周囲を汚してしまう問題点があった。これを解決するため、消し屑のまとまり性を改善したり、消し屑をローラーに付着させ処理していた。また、消しゴム表面に付着した汚れを除去する汚れ落としに関する技術も、多数提案されている。例えば、平板の上部に孔を設け、孔の底面に凹凸を並設した提案（特許文献１参照）。斜面に細かい凹凸を付け、その下方に消しゴムの屑受けを設けた提案（特許文献２参照）が知られている。
【特許文献１】特開平１０−２３６０８２号公報
【特許文献２】特開２００１−２０５９８６号公報
【発明の開示】
【発明が解決しようとする課題】
【０００３】  しかし、消し屑のまとまり性を改善しても、消しゴムには汚れの発生が不可欠である。また、消しゴムの汚れの程度や、汚れが消しゴムのどの面に付着しているかもさまざまである。したがって、水平状態であれ傾斜状態であれ平板状とした従来の消しゴムの汚れ落としでは、簡単に汚れが落とせない場合があり、さらに、小型化は難しく携帯をするには不便であった。【０００４】  さらにまた、従来の消しゴムの汚れ落としには、消しゴム用ホルダーもしくは消しゴムケースなど、消しゴムと一体となっているものはなく、別々であった。したがって、消しゴムの汚れ落としが必要な時でも、常にあるとはかぎらず、消しゴムの汚れ落としを設ける目的が、十分達成されているとはいえない。【０００５】  そこで本発明は、消しゴムの汚れを簡単に落とすことができ、小型であり、携帯に便利な、消しゴムと一体になった消しゴムの汚れ落とし器を提供することを課題とする。
【課題を解決するための手段】
【０００６】  前記課題を達成するために本発明は、次の具体的手段を採っている。即ち、本発明に係る消しゴムの汚れ落とし器は、消しゴム用ホルダーの後端部に着脱自在に取り付けられ、擂り鉢形状の消しゴムの汚れ落とし部、中空円筒形状の消し屑収容部と円形状の蓋部とからなる。そして、汚れ落とし部の内側の傾斜面には、汚れが付着した消しゴムの表面部分を消し屑として消しゴムから脱離させる縦・横・斜めの細かいきざみ目をつけ、汚れ落とし部の底面中央に、消し屑を収容部へと落下させる円孔を設ける。さらに、消し屑を収容する消し屑収容部を円孔の下部に配設し、消し屑が外部に散乱し周囲を汚すことを防ぐための蓋部を汚れ落とし部上部外周面に着脱自在に取り付けたことを特徴とする。【０００７】  また、本発明に係る消しゴムの汚れ落とし器は、消しゴム用ホルダーの後端部に着脱自在に取り付けられ、消し屑を収容する中空円筒形状の消し屑収容部とお椀形状の蓋部とからなる。そして、蓋部を収容部の上部内周面に着脱自在に取り付け、蓋部の内面に、汚れが付着した消しゴムの表面部分を消し屑として消しゴムから脱離させる縦・横・斜めの細かいきざみ目のついた消しゴムの汚れ落としを設けたことを特徴とする。
【発明の効果】
【０００８】  本発明は、前記のように構成したことにより、効果は次の通りである。【０００９】  軽い力で、消しゴム表面に付着していた汚れを取り除くことができ、消しゴム表面を新しくする。【００１０】  さらに、消しゴム表面から脱離した消し屑が散乱し、周囲を汚すことはない。【００１１】  そして、従来の平板状でなく、漏斗形状もしくは円筒形状にしたことにより、小型となり、携帯に便利であり且つ筆記具の端部やキャップに取り付けることが可能となった。【００１２】  加えて、汚れ落としを擂り鉢形状もしくはお椀形状の内側傾斜面に設けたことにより、消しゴムのどの面に付着した汚れも、軽い力で、取り除くことができる。【００１３】  さらに加えて、消しゴム用ホルダーの後端部に着脱自在に取り付け、消しゴムと一体にしたことで、消しゴムを使用する時には、忘れることがなく、消しゴムの汚れ落としを設ける目的が、いつも十分に達成される。
【発明を実施するための最良の形態】
【００１４】  別紙図面の図１〜図７を参照して、本発明に係る実施の形態について説明する。【００１５】  以下に本発明の第１実施形態について述べる。【００１６】  図１は、本発明の第１実施形態に係る消しゴムＢの汚れ落とし器Ａの分解斜視図であり、図２は、図１のＸ−Ｘ線断面図、図３は、蓋部３を外した平面図である。この汚れ落とし器Ａは、消しゴム用ホルダーＣの後端部に着脱自在に取り付けられ、汚れが付着した消しゴムＢの表面部分を、消し屑として消しゴムＢから脱離させる消しゴムＢの汚れ落とし部１、消し屑を収容する消し屑収容部２と蓋部３とを具備し、漏斗状をなし、合成樹脂の成形により形成されている。【００１７】  汚れ落とし部１は、擂り鉢形状をしている。内側の傾斜面に汚れが付着した消しゴムＢの表面部分を、消し屑として消しゴムＢから脱離させる縦・横・斜めのきざみ目４がつけられており、底面中央には円孔５が設けられている。【００１８】  消し屑収容部２は、中空円筒形状をしている。汚れ落とし部１の底面中央に形成された円孔５下部に配設され、円孔５を介して落下する消し屑を収容する。【００１９】  なお、消しゴムＢの汚れ落とし部１と消し屑収容部２とを一体型にしたものを示したが、分割しても差し支えない。【００２０】  また、消し屑収容部２内に収容した消し屑は、その都度処理してもよいし、まとめて処理してもよい。【００２１】  蓋部３は、円形状をしており、汚れ落とし部１の上部外周面に着脱自在に取り付けられている。【００２２】  蓋部３は、着脱自在にするもの、上下方向に開閉するもの、左右方向に回動して開閉するもの、いずれであってもよい。【００２３】  図４は、本発明の第１実施形態に係る消しゴムＢの汚れ落とし器Ａを、消しゴム用ホルダーＣに取り付けた状態を示す斜視図である。この汚れ落とし器Ａは、筒状の消しゴム用ホルダーＣの後端部に、挿入嵌合して接続され、消しゴム用ホルダーＣより取り外して使用する。【００２４】  消しゴム用ホルダーＣに取り付けたことによって、消しゴムＢの汚れ落とし器Ａと消しゴムＢが一体となり、消しゴムＢを使用し表面が汚れ、消しゴムＢの汚れ落とし器Ａが必要な時、いつでも使用できる。【００２５】  次に本発明の第２実施形態について述べる。【００２６】  図５は、本発明の第２実施形態に係る消しゴムＢの汚れ落とし器Ａの分解斜視図であり、図６は、図５のＹ−Ｙ線断面図、図７は、蓋部３の底面図である。この汚れ落とし器Ａは、消しゴム用ホルダーＣの後端部に着脱自在に取り付けられ、汚れが付着した消しゴムＢの表面部分を、消し屑として消しゴムＢから脱離させる消しゴムＢの汚れ落としを設けた蓋部３と消し屑を収容する消し屑収容部２とを具備し、円筒形状をなし、合成樹脂の成形により形成されている。【００２７】  蓋部３は、お椀形状をしており、消し屑収容部２の上部内周面に着脱自在に取り付けられている。また、蓋部３の内面には、汚れが付着した消しゴムＢの表面部分を、消し屑として消しゴムＢから脱離させる縦・横・斜めの細かいきざみ目４がつけられている。【００２８】  消し屑収容部２は、中空円筒形状をしており、蓋部３で発生した消し屑を収容する。【００２９】  以下に本発明の第１実施形態の一使用例に���いて述べる。【００３０】  消しゴム用ホルダーＣ後端部から消しゴムＢの汚れ落とし器Ａを取り外し、蓋３を開け、消しゴムＢ表面に付着している汚れを、擂り鉢形状の汚れ落とし部１の内側傾斜面についている細かいきざみ目４に押し当てる。つぎに、円弧を描くように消しゴムＢ表面を擦れば、消しゴムＢの汚れが消し屑となって消しゴムＢから脱離し、消しゴムＢ表面が新しくなる。消し屑は、汚れ落とし部１の底面中央に設けられている円孔５を介して、消し屑収容部２内に落下し収容され、周囲を汚さない。そして、収容された消し屑を適宜処理すればよい。【００３１】  次に本発明の第２実施形態の一使用例について述べる。【００３２】  消しゴム用ホルダーＣ後端部から消しゴムＢの汚れ落とし器Ａを取り外す。つぎに、汚れ落とし器Ａから蓋３を取り外す。そして、消しゴムＢ表面に付着している汚れを、お椀形状の蓋部３の内面につけた細かいきざみ目４に押し当て、円弧を描くように消しゴムＢ表面を擦れば、消しゴムＢの汚れが消し屑となって消しゴムＢから脱離し、消しゴムＢ表面が新しくなる。蓋部３に残った消し屑は、その都度処理してもよいし、消し屑収容部２に収容してもよい。【００３３】  また、この消しゴムＢの汚れ落とし器Ａには、蓋部３に細かいきざみ目４がついているので、消しゴム用ホルダーＣから汚れ落とし器Ａを取り外すことなく、内面にきざみ目４のついた蓋３のみ取り外し、消しゴムＢの汚れを落とすことができる。【００３４】  なお、本発明の消しゴムＢの汚れ落とし器Ａは、消しゴム用ホルダーＣ後端部に取り付けたものを示したが、筆記具やキャップ等に取り付けてもよい。また取り付けずに単独で使用しても差し支えない。【００３５】  さらに、汚れ落とし器Ａが、机や紙等の上で転がるのを避け、且つ使用時に手で保持しやすくするため、外面形状を角柱にしたり、外面に滑り止めを設けてもよいし、ホルダーＣに合わせた形状としてもよい。
【図面の簡単な説明】
【００３６】
【図１】本発明の第１実施形態に係る消しゴムの汚れ落とし器の分解斜視図である。
【図２】図１のＸ−Ｘ線断面図である。
【図３】同器の蓋部を取り外した平面図である。
【図４】同器を消しゴム用ホルダーに取り付けた状態を示す斜視図である。
【図５】本発明の第２実施形態に係る消しゴムの汚れ落とし器の分解斜視図である。
【図６】図５のＹ−Ｙ線断面図である。
【図７】同器の蓋部の底面図である。
【符号の説明】
【００３７】    Ａ  汚れ落とし器
Ｂ  消しゴム
Ｃ  消しゴム用ホルダー
１  汚れ落とし部
２  消し屑収容部
３  蓋部
４  きざみ目
５  円孔
【図１】
2006306003.tif 000003
【図２】
2006306003.tif 000004
【図３】
2006306003.tif 000005
【図４】
2006306003.tif 000006
【図５】
2006306003.tif 000007
【図６】
2006306003.tif 000008
【図７】
2006306003.tif 000009